(57)【要約】【課題】本発明は、簡単な構造で、収納する光ケーブルの量やキャビネットの有効スペースに合わせてワイヤガイドの位置を任意に決定できるワイヤガイド取り付けレールの構造を提供することを目的としている。【解決手段】本発明に係るワイヤガイド取り付けレール３の構造は、断面略Ｃ字状の第一のレールと第二のレールを中板を介して接着すると共に、第一のレールは第二のレールに差し込み可能で、第二のレールに第一のレールを差し込むことで連結可能であり、ワイヤガイド１をワイヤガイド取り付けレール３の端部に取り付けることを特徴とする。【選択図】図５
2006008331.tif 000002
【特許請求の範囲】
【請求項１】
光ケーブルの余長収納に用いるワイヤガイドを取り付けるためのワイヤガイド取り付けレールの構造であって、断面略Ｃ字状の第一のレールと第二のレールを中板を介して溶接等で接合すると共に、前記第一のレールは前記第二のレールに差し込み可能で、前記第二のレールに前記第一のレールを差し込むことで連結可能であり、前記ワイヤガイドを前記ワイヤガイド取り付けレールの端部に取り付けることを特徴とするワイヤガイド取り付けレールの構造。
【発明の詳細な説明】
【技術分野】
【０００１】
本発明は、光ケーブルの余長収納に用いるワイヤガイドを取り付けるためのワイヤガイド取り付けレールの構造に関するものである。
【背景技術】
【０００２】
光ケーブルの余長を収納する場合には、直接キャビネットにワイヤガイドを取り付け、ワイヤガイドに余長を巻き付け収納していた。また、レールで枠組みを形成し、ワイヤガイドを設けた枠組みをキャビネットに取り付け、ワイヤガイドに光ケーブルを巻き付け収納していた。
【非特許文献１】カワムララックカタログＮＯ．８（２００３年７月１日発行）
【発明の開示】
【発明が解決しようとする課題】
【０００３】
しかしながら、上記従来技術におけるワイヤガイドでは大きさが限定されていて、光ケーブルの量に柔軟に対応できなかった。また、限られたキャビネット内の有効スペースでは、ワイヤガイドを取りつけた枠組みが収まらない虞があった。
【課題を解決するための手段】
【０００４】
本発明は、簡単な構造で、収納する光ケーブルの量やキャビネットの有効スペースに合わせてワイヤガイドの位置を任意に決定できるワイヤガイド取り付けレールの構造を提供することを目的とし、その構造は、断面略Ｃ字状の第一のレールと第二のレールを中板を介して接着すると共に、第一のレールは第二のレールに差し込み可能で、第二のレールに第一のレールを差し込むことで連結可能であり、ワイヤガイドをワイヤガイド取り付けレールの端部に取り付けることを特徴とする。
【発明の効果】
【０００５】
本発明に係るワイヤガイド取り付けレールは、どんなキャビネットにも取り付け可能で汎用性が高く、キャビネットに設けられている取り付け穴を用いてレールの取り付けができるため、穴加工の追加というような煩雑な作業を省くことができる。部品点数が増えても、レールは同種のもので良いため、大量生産により安価に提供することができる。また、キャビネットの大きさに関わらず、レールを連結するだけで幅広く対応することができる。
【発明を実施するための最良の形態】
【０００６】
本発明に係るワイヤガイド取り付けレールは、多様なキャビネットに対応するという目的を、同じ部材を使用して実現した。
【実施例１】
【０００７】
本発明に係るワイヤガイド取り付けレールの実施例を図１〜図５の添付図面に基づいて説明する。
【０００８】
キャビネットの側面内側に、光ケーブルの余長を収納するためにワイヤガイド１を設ける。ワイヤガイド１は光ケーブル２を通信に支障が無いように弧を有する部材から成り、ワイヤガイド１をキャビネットに取り付けるために、ワイヤガイド取り付けレール３をキャビネットに取り付ける。
【０００９】
図１に示すように、ワイヤガイド取り付けレール３は断面を略Ｃ字状に折曲形成された小さ目の第一のレール４と、大き目の第二のレール５とを背中合わせに中板６を介して接着して構成する。図２に示すように、第一のレール４の接着面４ａにはローレットビス挿通孔７を、第二のレール５の折曲面５ａにはレール取り付け穴８とドライバー差し込み穴９とを設ける。
【００１０】
図３に示すように、Ｌ型金具１０を介してレール３端部にワイヤガイド１を取り付ける。Ｌ型金具１０の取り付け穴１１と、第一のレール４に設けられたローレットビス挿通孔７とにローレットビス１２を挿通し、裏面よりナット１３を当てレール３にＬ型金具１０を取り付ける。Ｌ型金具１０のレール３に取り付けられていない方の折曲部１４にねじ１５によりワイヤガイド１を固定する。光ケーブル２の余長を収納する場合には、ワイヤガイド１に光ケーブル２を掛けて巻いておく。
【００１１】
光ケーブル２の余長が多く、上記レール３の長さでは収まらない場合には、図４に示すように、レール３を連結して長くすることができる。基本のレール３をレール取り付け穴８を用いてキャビネットの側面内側に固定する。第一のレール４を第二のレール５に差し込み、ローレットビス１６をローレットビス挿通孔７に挿通し裏面よりナット１７を当てローレットビス１６を締め付け、レール３を連結する。連結するレール３は光ケーブル２の余長に合わせて数を調節する。レール３の端部にはワイヤガイド１を固定する。光ケーブル２の余長を収納する場合には、ワイヤガイド１に光ケーブル２を掛けて巻いておく。
【００１２】
光ケーブル２の余長が上記一列にレールを連結しただけでは収まらない場合、一列に連結したレール３の端部にさらに別のレール３を連結して余長収納スペースを広げることができる。一列に連結したレール３の端部に、連結用Ｌ型金具１８を用いて別のレール３を連結する。別のレール３にも余長に合わせてレール３を連結することができ、例えば図５に示すように、略エ字状に構成し、レール３の端部にワイヤガイド１を固定する。レール３の光ケーブル２の余長を収納する場合には、ワイヤガイド１に光ケーブル２を掛けて巻いておく。
【００１３】
レールの材質は特に限定されるものではなく、樹脂成形品やアルミ押し出し品としてもよく、本発明の趣旨を逸脱しない範囲において適宜変更可能である。
【００１４】
また、レールを連結するものは、ローレットビスに限定されるものではなく、例えば９０度回転させるだけで固定できるファスナーを用いる等、本発明の趣旨を逸脱しない範囲において適宜変更可能である。
【産業上の利用可能性】
【００１５】
光ケーブルの余長収納に用いるワイヤガイドを連結により伸縮自在のレールに取り付けることによって、同じ部材で多様なキャビネットの大きさや光ケーブルの余長の量による調節が簡単に行うことができる。
【図面の簡単な説明】
【００１６】
【図１】本発明に係るワイヤガイド取り付けレールの構造を示す断面図である。
【図２】本発明に係るワイヤガイド取り付けレールの構造を示す斜視図である。
【図３】本発明に係るワイヤガイド取り付けレールの連結構造を示す断面図である。
【図４】本発明に係るワイヤガイドの取り付け構造を示す断面図である。
【図５】本発明に係るワイヤガイド取り付けレールの連結構造を示す正面図である。
【符号の説明】
【００１７】
１      ワイヤガイド
２      光ケーブル
３      ワイヤガイド取り付けレール
４      第一のレール
４ａ    接着面
５      第二のレール
５ａ    折曲面
６      中板
７      ローレットビス挿通孔
８      レール取り付け穴
９      ドライバー差し込み穴
１０    Ｌ型金具
１１    取り付け穴
１２    ローレットビス
１３    ナット
１４    折曲部
１５    ねじ
１６    ローレットビス
１７    ナット
１８    連結用Ｌ型金具
【図１】
2006008331.tif 000003
【図２】
2006008331.tif 000004
【図３】
2006008331.tif 000005
【図４】
2006008331.tif 000006
【図５】
2006008331.tif 000007